(57)【特許請求の範囲】
【請求項１】
乳房カップ部を有する肌に接して着用される衣料において、乳房カップ部の肌に接する側に畝状凹凸面が現れるように、厚みが１ｍｍ〜１０ｍｍで弾性繊維を含有しない畝状凹凸立体模様を少なくとも片面に有するダブルラッシェル編物であって、前記ダブルラッシェル編物の肌に接する側の畝状凹凸立体模様の凹部表面からの凸部の高さが、５０〜１０００μｍであり、凸部の幅が０．７〜３ｍｍ、凹部の幅が０．１〜３ｍｍであり、前記ダブルラッシェル編物の肌に接する側の畝状凹凸立体模様が、ジグザク状または波状の畝模様を有する凹凸立体模様であるダブルラッシェル編物を用いたことを特徴とする衣料。
【請求項２】
乳房カップ部を有する肌に接して着用される衣料がブラジャーであり、前記ブラジャーの土台布の部分にも更にその肌に接する側に畝状凹凸面が現れるように、厚みが１ｍｍ〜１０ｍｍで弾性繊維を含有しない畝状凹凸立体模様を少なくとも片面に有するダブルラッシェル編物を用いてなる請求項１に記載の衣料。
【請求項３】
乳房カップ部を有する衣料が、ブラジャー、ボディスーツ、レオタードから選ばれた衣料である請求項１に記載の衣料。
【請求項４】
ダブルラッシェル編物の、ＪＩＳ  Ｌ−１０９６  Ｅ法（ハンドルオメータ法）による剛軟性が、２〜８０ｇである請求項１〜３のいずれかに記載の衣料。
【請求項５】
ダブルラッシェル編物の、目付けが１００〜８００ｇ／ｍ2である請求項１〜４のいずれかに記載の衣料。
【請求項６】
ダブルラッシェル編物が、ポリエステルフィラメント糸からなるダブルラッシェル編物である請求項１〜５のいずれかに記載の衣料。
【請求項７】
ダブルラッシェル編物の肌に接する側の畝状凹凸立体模様の畝の向きが衣料縦方向である請求項１〜６のいずれかに記載の衣料。
【請求項８】
ダブルラッシェル編物の肌に接する側の畝状凹凸立体模様の凸部表面の面積が、凸部表面と凹部表面の合計面積の２５〜８０％である請求項１〜７のいずれかに記載の衣料。
【発明の詳細な説明】
【０００１】
【発明の属する技術分野】
本発明は、直接肌に接して着用される衣料であって、乳房カップ部を有する衣料、あるいはクロッチ部を有する衣料、ないしはこの両者を有する衣料に関する。
【０００２】
【従来の技術】
従来より、肌に接して着用される衣料であって、ブラジャー、ボディスーツ、レオタードなどの乳房カップ部を有する衣料は、乳房の形を美しく整える造形機能を有する乳房カップを備えた衣料として、広く普及している。また、肌に接して着用される衣料であって、ショーツ、ガードル、ボディスーツ、レオタードなどは、クロッチ部を有している衣料として広く普及している。
【０００３】
ところで上述のような乳房カップ部を有する衣料の乳房カップの構成素材としては、従来よりもっとも一般的に用いられている素材は、不織布ないしはポリウレタン発泡体である。通常これらの素材を用いる場合には、これらの素材がそのまま直接に肌に接触すると不織布の場合には、チクチクして肌触りが悪いし、ポリウレタン発泡体の場合も見栄えも悪く、ゴムに直接肌が接触する感触になり、あまり肌触りの点で好ましいものではないので、通常は、少なくともこれらの肌側には、編物ないしは織物などの通常のプレーンな生地が接着積層されるか縫合されて用いられることが実際には行われている。
【０００４】
【発明が解決しようとする課題】
ところで、発汗時の状況を想定すると、ポリウレタン発泡体の場合は、通気性が不織布よりかなり悪く、蒸れやすく、肌側に設けられたプレーンな生地に肌がべとついてぴったりとくっついたような状態になり、肌へのはりつきが生じ、不快感が生じる。不織布を使用した場合も、不織布自体の通気性はポリウレタン発泡体に比べれば良好であるが、不織布を構成する繊維は大部分が厚み方向に立っているものではなく、むしろ大部分が不織布平面方向にほぼ沿った、厚み方向とは直角方向に配向している繊維が大部分であり、従って、通気性が良好とは言えず、蒸れやすく、不織布が直接肌に接触しないように肌側に設けられたプレーンな生地の汗によるべとつきにより、肌へのはりつきが生じ、不快感が生じる点では、ポリウレタン発泡体を用いた場合と同様である。
【０００５】
また、クロッチ部分を有する衣料についても、クロッチ部分は、比較的通気性のよい、生地が用いられることが多いが、あまり、織密度や編密度の低い、目の粗い生地を用いると、外から陰部が透けて見えてしまう恐れがあり、どうしても陰部が透けて見えないように、ある程度緻密な組織の編物ないしは織物を用いるか、織密度や編密度の低い、目の粗い生地を用いた場合には、その外側をより緻密な組織の編物ないしは織物でカバーし二重構造にする場合が多く、いずれにせよ、発汗時には、上述のごとき、プレーンな生地の汗によるべとつきにより、肌へのはりつきが生じ、不快感が生じる。
【０００６】
乳房カップを有する衣料において、特開平８−１２７９０５号にはポリウレタン発泡体などの軟質合成樹脂発泡体や不織布からなる隆起部（突起や畝状の隆起部）を有するクッション性を持ったシートが用いられている乳房カップが提案されている。これらは、曲面に沿いやすく自然な丸みを実現でき、バストボリュームを大きく豊かに見せるための乳房カップおよびそれを具備した衣料に関するものである。
【０００７】
しかしながら、これらの素材は、ポリウレタン発泡体などの軟質合成樹脂発泡体や不織布からなるので、上述したように通気性が悪いかあまりよくないと言う問題点が依然として残っていると共に、現実に衣料へ適用する場合には、これらの素材がそのまま直接に肌に接触すると不織布の場合には、チクチクして肌触りが悪いし、ポリウレタン発泡体の場合も見栄えも悪く、ゴムに直接肌が接触する感触になり、あまり肌触りの点で好ましいものではないので、通常は、少なくともこれらの肌側には、編物ないしは織物などの通常のプレーンな生地が接着積層されるか縫合されて用いられることが実際には行われている。従って、前述したように、汗をかいた場合には、内側のプレーンな生地は、通常の生地すなわち、特別剛軟性の大きな（はりのある、腰のある）生地が用いられているわけではないので、内側の生地に肌がべとついてぴったりとくっついたような状態になり、肌へのはりつき感が生じ、不快感が生じる。
【０００８】
また、特開平１０−２９８８５４号には、裏面に凹凸を有する水着用編時及びそれを用いた水着が開示されている。この水着は、水中から上がった後のベタツキ感に伴う冷感性が軽減されることが示されている。そして、実際に示されている生地はポリウレタン繊維などの弾性繊維を含有する丸編地、トリコット地、ラッシェル地が使用できることが開示されている。実施例に開示されているのは、丸編地、トリコット地の場合のみで、ラッシェル地に関しては具体的に開示されていない。しかして、特開平１０−２９８８５４号は水着であるから、必然的に伸びる素材で身体に密着する必要があり、従って、上記の実施例などでは、現実にはポリウレタン繊維などの弾性繊維を含有するものが記載されており、これらから解釈して、ラッシェル地とは、通常のシングルラッシェル編物地であることが明らかである。ダブルラッシェル編物でかつ、ポリウレタン繊維などの弾性繊維を含有していない素材は、伸びもなく水着には全く使用できないからである。
【０００９】
ところで通常のシングルラッシェル地の場合、厚みはそれほど厚くなく、したがって剛軟性がそれほど大きくなく、従って生地の汗によるべとつきにより、肌へのはりつきが生じにくいとは言えないし、また、シングルラッシェル地を構成する繊維糸は、大部分がラッシェル編地平面方向にほぼ沿った、すなわち厚み方向とは直角方向に配向している繊維糸が大部分であり、従って、この意味ではこのまま厚みを厚くすると蒸れやすくなると言う問題点を有しており、また、厚みがあまり厚くならないので、シングルラッシェル編物では、クッション性も小さく、造形性も小さくなるので、乳房カップに用いた場合に、乳頭の形状がそのまま反映して外側に現れわれやすく、また、剛軟性がやや小さく、クッション性も小さいので、造形性も十分でなく、乳房の形を整える造形性が十分発揮できないなどの問題がある。また、前記特開平１０−２９８８５４号は、トリコットについては、ダブルトリコットと考えられるトリコット編物が使用されているが、ダブルトリコット編物では厚みが最大でも１ｍｍにならず、これ以上厚くすることはできず、従ってダブルトリコットでこの程度の厚みでははりがなく（剛軟性が小さいこと）、造形性が低くなる。通常、ダブルトリコット編物は、スリップなどのランジェリーの身生地に使用されるどちらかと言えばドレープ製のある生地だからである。また、仮にこれらの編物をクロッチ部に適用したとしても、比較的剛軟性が小さい（ハリが小さい）ため、発汗時等にベタツキ感が十分解消できないと言う問題がある。
【００１０】
また、乳房カップとして用いる不織布やポリウレタン発泡体の肌側に積層する布として、畝のある編物として典型的なリブ編物を用いてみたが、リブ編物では着用時の応力によって畝の凹凸構造が変化してしまいやすく、発汗時の肌へのはり付きが生じてしまい、不快感を防止できないことがわかった。
【００１１】
本発明はこれらの問題点を解決し、発汗時においても、乳房カップ部及び／またはクロッチ部におけるベタツキ感が低減され、通気性、吸水性がよく、蒸れも改良され、暑い環境から涼しい環境へ移動した場合でも、生地表面に付着した汗によって皮膚が冷やされ冷たく感じる不快感が生ずるのを軽減でき、清涼感を保ち、耐洗濯性が良好で、しかも、乳房カップ部などに適用する場合に、必要な造形性も発揮し得る性能を有する直接肌に接して着用される衣料であって乳房カップ部及び／またはクロッチ部を有する衣料を提供することを目的とする。
【００１２】
【課題を解決するための手段】
上記の目的を達成するため、本発明は、以下に示すような、乳房カップ部及び／またはクロッチ部を有する肌に接して着用される衣料を提供するものである。
【００１３】
（１）乳房カップ部を有する肌に接して着用される衣料において、乳房カップ部の肌に接する側に畝状凹凸面が現れるように、厚みが１ｍｍ〜１０ｍｍで弾性繊維を含有しない畝状凹凸立体模様を少なくとも片面に有するダブルラッシェル編物であって、前記ダブルラッシェル編物の肌に接する側の畝状凹凸立体模様の凹部表面からの凸部の高さが、５０〜１０００μｍであり、凸部の幅が０．７〜３ｍｍ、凹部の幅が０．１〜３ｍｍであり、前記ダブルラッシェル編物の肌に接する側の畝状凹凸立体模様が、ジグザク状または波状の畝模様を有する凹凸立体模様であるダブルラッシェル編物を用いたことを特徴とする衣料。
【００１４】
（２）乳房カップ部を有する肌に接して着用される衣料がブラジャーであり、前記ブラジャーの土台布の部分にも更にその肌に接する側に畝状凹凸面が現れるように、厚みが１ｍｍ〜１０ｍｍで弾性繊維を含有しない畝状凹凸立体模様を少なくとも片面に有するダブルラッシェル編物を用いてなる前記（１）項に記載の衣料。
【００１５】
（３）乳房カップ部を有する衣料が、ブラジャー、ボディスーツ、レオタードから選ばれた衣料である前記（１）項に記載の衣料。
【００１７】
（４）ダブルラッシェル編物の、ＪＩＳ  Ｌ−１０９６  Ｅ法（ハンドルオメータ法）による剛軟性が、２〜８０ｇである前記（１）〜（３）項のいずれかに記載の衣料。
【００１８】
（５）ダブルラッシェル編物の、目付けが１００〜８００ｇ／ｍ2である前記（１）〜（４）項のいずれかに記載の衣料。
【００１９】
（６）ダブルラッシェル編物が、ポリエステルフィラメント糸からなるダブルラッシェル編物である前記（１）〜（５）項のいずれかに記載の衣料。
【００２２】
（７）ダブルラッシェル編物の肌に接する側の畝状凹凸立体模様の畝の向きが衣料縦方向である前記（１）〜（６）項のいずれかに記載の衣料。
【００２４】
（８）ダブルラッシェル編物の肌に接する側の畝状凹凸立体模様の凸部表面の面積が、凸部表面と凹部表面の合計面積の２５〜８０％である前記（１）〜（７）項のいずれかに記載の衣料。
【００２５】
【発明の実施の形態】
以下、図面を参照しながら、本発明の具体的実施の形態例について説明するが、本発明は、これらの具体例にのみ限定されるものではない。
【００２６】
図１は本発明で用いる畝状凹凸立体模様を片面に有するダブルラッシェル編物の一例の畝状凹凸立体模様を有する側から見た平面図、図２は本発明で用いる畝状凹凸立体模様を片面に有するダブルラッシェル編物の別の一例の畝状凹凸立体模様を有する側から見た平面図、図３は本発明で用いる畝状凹凸立体模様を片面に有するダブルラッシェル編物の更に別の一例の畝状凹凸立体模様を有する側から見た平面図である。いずれの図においても、１が畝状の凸部を示しており、２が凹部を示している。そして図１に示すダブルラッシェル編物の畝状凹凸立体模様は、ほぼストレ−トなストライプ状であり、図２に示すダブルラッシェル編物の畝状凹凸立体模様は、ジグザク状模様であり、図３にに示すダブルラッシェル編物の畝状凹凸立体模様は、波状模様である。
【００２７】
なお、図においては、畝状の凸部１はその長手方向に切れ目なく連続しているものを示してあるが、必ずしも連続せずに比較的少ない面積割合で小さな面積の切れ目が複数個存在してもよい。すなわち斑点状の凹凸立体模様となってしまうのではなく、実質上畝状であれば畝に切れ目が入ってもよい。
【００２８】
乳房カップに用いて乳房にあてがった場合に、図１のものに比べて、図２や図３に示したようなタイプのジグザク状または波状の畝状凹凸立体模様の方が、凹凸の間隔や凸部高さがほぼ同じ場合で比べると乳房の柔らかい肉が凹部に入り込みにくく、長時間着用した場合に乳房の表面に畝状凹凸立体模様の跡がつきにくいと言う点で好ましい。しかも剛軟性についても凸部長手方向に沿った方向とそれと直角方向の剛軟性が、図２や図３に示したタイプの方が図１に示したタイプに比べてその差異が少なくなってくる点でも好ましい。
【００２９】
そして、これらの畝状凹凸立体模様を有するダブルラッシェル編物の肌に接する側の畝状凹凸立体模様の畝の向きが衣料縦方向になるように取り付ることが、べとつき感を軽減する上で好ましい。すなわち、乳房カップ部において、畝の向きが衣料縦方向になるように取り付けられていると、着用者の肌と乳房カップ部との間で、暖められた湿った空気が、畝の凹部を通って上方に逃げ易くなり、したがって通気性がよく、蒸れが軽減され、さらさらした感じを保つことができるためである。
【００３０】
ここで畝の向きとは、畝の長手方向の向きであり、図１の場合には、図の上下方向であり、図２、図３のように畝の凹凸立体模様がジグザグ状や波状模様であっても、巨視的な全体的な観点から見た畝の長手方向を意味し、従ってこの場合も図の上下方向になる。
【００３１】
ここで衣料縦方向とは、衣料の縦方向（垂線方向）並びに衣料の縦方向から±４０度までの角度の範囲で傾いている場合も含む意味である。しかしなるべく衣料の垂線方向に沿った方向からあまり角度がつかないほど好ましい。また、クロッチ部に適用する場合には、クロッチ部は股の下になるが、この場合の衣料縦方向とは、衣料の前後方向に沿った方向であり、衣料の前中心と後中心を股下で結ぶ仮想の直線に沿った方向並びにその仮想線の方向から±４０度までの角度の範囲で傾いている場合も含む意味である。しかしなるべく仮想線方向に沿った方向からあまり角度がつかないほど好ましい。クロッチ部においても、前述で定義した畝の向きが衣料縦方向が好ましいのは、着用者の肌とクロッチ部との間で、暖められた湿った空気が、身体の前後方向に向いて伸びている畝の凹部を通り、逃げ易くなり、したがって通気性が保たれ、蒸れが軽減され、さらさらした感じを保つことができるためである。
【００３２】
図４と図５は本発明で用いる畝状凹凸立体模様を片面に有するダブルラッシェル編物の一例の例えば図２のそれぞれＡ−Ａ´方向ならびにＢ−Ｂ´方向の断面模式図である。
【００３３】
これらの図に示されるように畝状凹凸立体模様を有するダブルラッシェル編物は、裏面を構成する糸で編まれて形成されている裏面３（この場合、裏面３が衣料の肌側になる。）と、表面を構成する糸で編まれて形成されている表面４と、この裏面３と表面４との間をほぼ縦方向（厚み方向）に走ってこの間を充填し繋ぎ合わせているつなぎ糸（充填糸）５、６からなっている。このつなぎ糸（充填糸）５、６がダブルラッシェル編物に厚みを持たせ、そのためクッション性も付与される。しかも、弾性繊維を使用していないので、より剛軟度（剛性）を高くしている。そしてすべて正確に規則的にマルチフィラメント糸またはモノフィラメント糸が編まれてしっかりした編み組織を形成しているので、不規則な繊維の絡み合いしか期待できない不織布に比べて耐洗濯性が高く、例えば繰り返し洗濯による剛軟性の低下はほとんどない。そしてダブルラッシェル編物においては、このつなぎ糸（充填糸）５、６がほぼ厚み方向に向いているので、通気性が極めて良好になり、蒸れも少なくなる。しかも、一般にポリウレタン繊維などの弾性繊維糸を用いる場合には、通常のポリエステル繊維糸などの非弾性繊維糸に比べてかなり大幅に太い糸が用いられるのがかかる衣料への弾性繊維糸の適用の場合の一般的傾向であるが、本発明では、このように太く、従って通気性を低下させる要因の一つともなる弾性繊維糸を用いていないので、この点からも通気性は良好である。また、裏面３と表面４との間をほぼ縦方向（厚み方向）に走っているつなぎ糸（充填糸）５、６が存在し、且つ厚みもあるので、この部分に汗を吸収しやすく、吸水速度が速いため、発汗しても肌に接する面をサラッとした状態の清涼感を保つことができ、ベトツキ感を軽減するのである。そして発汗時、暑い環境から涼しい環境へ移動した場合でも、生地表面に付着した汗によって皮膚が冷やされ冷たく感じる不快感が生ずるのを軽減できる。すなわち通気性のある立体構造によって、液相の汗は立体構造の網目から内部に短時間ですばやく吸い込まれ、組織内部に水分が吸収され、そこで気化され、気相の汗は、高通気性の網目を透過して外部に放出され、乾きやすい特徴を有している。しかも肌に接する側に畝状凹凸面が存在するので、畝状の凸部１のみが実質的に肌に接することになり、肌との接触面積が少なくなり、この点でも発汗時の生地の肌へのはりつき感を少なくすることができる。また、暑い環境から涼しい環境へ移動した場合でも、生地表面に付着した汗によって皮膚が冷やされ冷たく感じ不快感が生ずるのを軽減できる。しかも、剛軟度が高い（はりがあること）ので、剛軟度の低い薄っぺらい生地に比べて、発汗時の肌へのはりつきが少なくできるのである。また、不織布と異なり、しっかりした組織の編物であるので、耐洗濯性が極めて優れており、洗濯によるへたりが極めて少なく、長期間の造形性、剛軟性（はり）を維持することができ、従って、繰り返し洗濯しても、前述した優れた性能を長期間維持でき、耐久性に優れている。
【００３４】
また、通常の生地に比べて厚みも厚く、剛軟度があるので、乳房カップ部などに適用する場合に、乳房の形を美しく整えるなど、必要な造形性も発揮し得ると共に、シングルラッシェル編物に比べて、クッション性も大きく、造形性も大きいので、シングルラッシェル編物を用いた場合に生じる、乳頭の形状がそのまま反映して外側に現れわれやすくなると言う問題点が解消されるのである。
【００３５】
尚、図示したダブルラッシェル編物は、畝状凹凸立体模様を片面に有するダブルラッシェル編物を示したが、畝状凹凸立体模様を両面に有するダブルラッシェル編物を用いることも可能である。しかし、特に両面に畝状凹凸立体模様を設ける必要はなく、むしろ肌に接しない面は、比較的凹凸が少ない方が、見栄えもよく、コストも両面に畝状凹凸立体模様を設ける場合に比べて安くなるので、片面に畝状凹凸立体模様を有するダブルラッシェル編物を用いることが好ましい。
【００３６】
用いるダブルラッシェル編物は、厚みが１〜１０ｍｍの範囲のものを用いる必要があり、厚みが１ｍｍよりも薄いものを用いた場合には、発汗時の肌へのはりつき感が生じ易くなり、吸水速度や吸水量が低下し、十分な清涼感を保つことができず、造形性も十分でなく、また、乳房カップに用いた場合に、乳頭の形状がそのまま反映して外側に現れわれやすくなるので好ましくない。また、厚みが１０ｍｍよりも厚いものを用いた場合には、着用感も低下し、この編物の使用部分のみかなり厚くなり、衣料として美しい形に仕上がりにくくなり、通気性も低下し好ましくない。なお、厚みは３〜７ｍｍの範囲がより好ましく、発汗時の肌へのはりつき感が一層生じにくくなり、吸水速度や吸水量がも十分で、良好な清涼感を保持し、造形性も十分であり、また、乳房カップに用いた場合に、乳頭の形状がそのまま反映して外側に現れわれることもなく、しかも着用感も良好であり、ごわごわしすぎることがなく衣料として美しい形に仕上げる事ができ、通気性も良好で好ましい。そしてブラジャーの乳房カップ部や土台布に用いる場合には、厚みとしては、特に３〜７ｍｍの範囲が好ましい。尚、ここで、ダブルラッシェル編物の厚みは、図４、図５の裏面３（畝の凸部の表面）と表面４との間の厚みを意味するものである。
【００３７】
また、用いるダブルラッシェル編物は、ＪＩＳ  Ｌ−１０９６  Ｅ法（ハンドルオメータ法）による剛軟性が、好ましくは２〜８０ｇ、より好ましくは２〜５０ｇであることが好ましく、あまりにも剛軟性が小さすぎると、生地のはりがなくなり、発汗時の肌へのはりつきが生じ易くなる傾向にあり、また、造形性も低下する傾向にあり、あまりに剛軟性が大きすぎると、こわばった感じになり着用感が低下する傾向になる。従って、前述の範囲であれば、発汗時の肌へのはりつきが生じる事はなく、造形性も良好で、着用感も良好であり、好ましい。
【００３８】
また、用いるダブルラッシェル編物は、好ましくは目付けが１００〜８００ｇ／ｍ2、より好ましくは３００〜６００ｇ／ｍ2であることが好ましく、あまりにも目付けが小さすぎると、生地の厚みが低下し、生地のはり、厚み方向のクッション性が低下する傾向にあり、発汗時の肌へのはりつきが生じ易くなり、吸水速度や吸水量が低下して十分な清涼感を保ちにくくなる傾向になる。造形性も低下する傾向にあり、また、乳房カップに適用した場合に、乳頭の形状がそのまま反映して外側に現れわれやすくなる傾向にある。あまりに目付けが大きすぎると、こわばった感じになるか、あるいは分厚い感じになり着用した時の外観や着用感が低下する傾向になる。従って、前述の範囲であれば、発汗時の肌へのはりつきが生じる事はなく、良好な吸水速度、吸水量を保持し、十分な清涼感を発揮でき、造形性も良好で、乳房カップに適用した場合にも、乳頭の形状が反映して外側に現れわれる事を確実に防止でき、着用感も良好であり、着用時の外観の低下もなく好ましい。
【００３９】
また、用いるダブルラッシェル編物の肌に接する側の畝状凹凸立体模様の凹部表面からの凸部の高さが、１０〜３０００μｍ、より好ましくは５０〜１０００μｍであり、凸部の幅が０．５〜５ｍｍ、より好ましくは０．７〜３ｍｍ、凹部の幅が０．１〜５ｍｍ、より好ましくは０．１〜３ｍｍであることが好ましく、あまりに凸部の高さが低すぎると、凹凸立体模様を付与した効果が発現しにくくなる傾向になり、蒸れが生じ易くなる傾向になり、肌へのはりつき感も生じ易くなる傾向になる。凸部の幅が大きすぎ、凹部の幅が小さすぎる場合も同様な傾向になる。また、あまりに凸部の高さが高すぎると、着用感が低下する傾向になり、乳房カップに適用した場合など、柔らかい乳房の肉に凹凸立体模様が転写されやすくなり、その跡が残りやすくなる傾向になる。凸部の幅が小さすぎ、凹部の幅が大きすぎる場合も同様な傾向になると共に、凹部へも肌が接しやすくなり、凹凸立体模様を付与した効果が発現しにくくなる傾向になり、従って蒸れが生じ易くなる傾向になり、肌へのはりつき感も生じ易くなる傾向になる。従って、前述の範囲であれば、蒸れにくく、発汗時の肌へのはりつきもなく、暑い環境から涼しい環境へ移動した場合でも、生地表面に付着した汗によって皮膚が冷やされ冷たく感じる不快感が生ずるのを軽減でき清涼感を保ち、凹凸立体模様の肌への転写が生じる事もなく、着用感も良好であり好ましい。
【００４０】
また、用いるダブルラッシェル編物の肌に接する側の畝状凹凸立体模様の凸部表面の面積が、凸部表面と凹部表面の合計面積の２５〜８０％であることが好ましく、より好ましくは、４０〜６０％である。あまりに凸部表面の面積が大きすぎても、小さすぎても凹凸立体模様を付与した効果が発現しにくくなる傾向になり、蒸れが生じ易くなる傾向になり、肌へのはりつき感も生じ易くなる傾向になる。従って、上記の好ましい範囲とすることにより、発汗時にもサラサラした感触をより一層保ちやすく、蒸れがより生じにくく、肌へのはりつき感もより少なくなり、暑い環境から涼しい環境へ移動した場合でも、生地表面に付着した汗によって皮膚が冷やされ冷たく感じる不快感が生ずるのを軽減でき清涼感を保つことができ好ましい。
【００４１】
また、用いるダブルラッシェル編物の吸水性（ＪＩＳ  Ｌ−１０９６  Ａ法（滴下法））は、好ましくは０〜８０秒、より好ましくは０〜６０秒のものが、汗を直ちに編物内部に吸い込み、サラサラ感、清涼感をを保つことから好ましい。
【００４２】
また、用いるダブルラッシェル編物の通気抵抗（カトーテック株式会社製「ＫＥＳ−Ｆ８−ＡＰ１  通気性試験機」によるＫＥＳ法）が、好ましくは０．００１〜０．２Ｋｐａ・ｓｅｃ／ｃｍ2、より好ましくは０．００２〜０．１５Ｋｐａ・ｓｅｃ／ｃｍ2であることが、通気性が良好で、蒸れも少なく、編物内部に吸収した汗を気化させて除去する点でも好ましい。
【００４３】
本発明で用いるダブルラッシェル編物を構成する素材は、ポリウレタン繊維糸などの弾性繊維糸を含まないものであれば、特に限定するものではなく、ポリエステルフィラメント糸、ナイロンフィラメント糸など各種の合成繊維糸や、綿糸や絹糸などの天然繊維、或いはこれらの合成繊維と天然繊維の併用などが用い得るが、特にポリエステルフィラメント糸が、発汗時でもサラサラした肌触りを保ちやすく、適宜の剛軟性（はり）が出しやすく、厚み方向のクッション性も良好であり、特に好ましい。フィラメント糸を用いる場合には、マルチフィラメント糸ないしモノフィラメント糸のいずれも使用可能である。特に肌触りが良好な点から、マルチフィラメント糸が好ましく用いられる。しかし、モノフィラメント糸を用いた場合には、はりがが出しやすく（剛軟性が大きく）、通気性もマルチフィラメント糸使いのものに比べてより向上する利点がある。
【００４４】
次に、以上説明したような畝状凹凸立体模様を少なくとも片面に有するダブルラッシェル編物を用いた乳房カップ部及び／またはクロッチ部を有する肌に接して着用される衣料について、いくつかの具体例を挙げて説明する。この具体例は、本発明の理解を容易にするために挙げられたものであり、この具体例に示されたもののみに限定されるものではない。
【００４５】
図６は本発明の乳房カップ部を有する肌に接して着用される衣料である３／４カップのブラジャーの斜視図である。
【００４６】
図６において、１１が乳房カップ部であり、１１ａが上カップ部、１１ｂが下カップ部を示している。１２は土台布、１３はバック布、１４は肩紐を示している。本例においては、乳房カップ部１１の上カップ部１１ａ、下カップ部１１ｂが弾性繊維を含有しない畝状凹凸立体模様を片面に有するダブルラッシェル編物からなり、乳房カップ部１１の肌に接する側に畝状凹凸面が現れるように前記ダブルラッシェル編物が使用されている。ここで、乳房カップ部１１の表面に畝状凹凸立体模様の畝の向きを示す線１５を記載してあるが、この線１５は、図示の通りにブラジャーの表側から見えるわけではなく、本来は乳房カップ部１１の裏側に現れるものであるが、理解を容易にするために畝の向きを示す線１５を記載したものである。そして、この畝の向きを示す線１５は、畝の向きを示しているだけであって、前述したように巨視的な全体的な観点から見た畝の長手方向を示しているものであり、図１に示されたようなダブルラッシェル編物の畝状凹凸立体模様がほぼストレ−トなストライプ状であることを意味しているものではない。したがって、ここでは図１〜図３などに示されたいずれの畝状凹凸立体模様を片面に有するダブルラッシェル編物を用いてもよいが、前述したような理由により、図２または図３に示したような畝状凹凸立体模様を有するダブルラッシェル編物が好ましく、特に図２に示したようなジグザグ状の畝状凹凸立体模様を有するダブルラッシェル編物が好ましく用いられる。なお、必要に応じて、乳房カップ部１１の表面側には、意匠上の美観の観点などから、外観の良好な適宜の布やレース地などから構成された表カップが更に取りつけられていてもよい。
【００４７】
かくして得られたブラジャーは、乳房カップ部において、発汗時のベタツキ感が低減され、サラッとした感触が保て、通気性、吸水性がよく、蒸れも改良され、また、暑い環境から涼しい環境へ移動した場合でも、生地表面に付着した汗によって皮膚が冷やされ冷たく感じ不快感が生ずるのを軽減でき、清涼感を保持できる。更に乳房の形を美しく保つに必要な造形性も発揮出来、しかも、乳房の表面に畝状凹凸立体模様の跡がつきにくいブラジャーが提供できる。また、ダブルラッシェル編物からなるので、不織布に比べて、耐洗濯性が良好で、洗濯によるへたりが少なく、長期間の造形性、剛軟性（はり）を維持することができ、耐久性に優れている乳房カップ部を有するブラジャーが提供できる。
【００４８】
次に図７に本発明の乳房カップ部を有する肌に接して着用される衣料である１／２カップのブラジャーの斜視図を示した。
【００４９】
図７において、１１は乳房カップ部であり、１１ａが上カップ部、１１ｂが下カップ部、１２は土台布、１３はバック布、１４は肩紐を示している。本例においては、乳房カップ部１１の上カップ部１１ａ、下カップ部１１ｂ、更には土台布１２が弾性繊維を含有しない畝状凹凸立体模様を片面に有するダブルラッシェル編物からなり、乳房カップ部１１並びに土台布１２の肌に接する側に畝状凹凸面が現れるように前記ダブルラッシェル編物が使用されている。ここで、乳房カップ部１１並びに土台布１２の表面に畝状凹凸立体模様の畝の向きを示す線１５を記載してあるが、これも、図示した通りにブラジャーの表側から見えるわけではなく、本来は乳房カップ部１１並びに土台布１２の裏側に現れるものであるが、理解を容易にするために畝の向きを示す線１５を記載したものである。そして、この畝の向きを示す線１５は、畝の向きを示しているだけであって、前述したと同様に巨視的な全体的な観点から見た畝の長手方向を示しているものであり、図１に示されたようなダブルラッシェル編物の畝状凹凸立体模様がほぼストレ−トなストライプ状であることを意味しているものではない。したがって、ここでは図１〜図３などに示されたいずれの畝状凹凸立体模様を片面に有するダブルラッシェル編物を用いてもよいが、前述したような理由により、図２または図３に示したような畝状凹凸立体模様を有するダブルラッシェル編物が好ましく、特に図２に示したようなジグザグ状の畝状凹凸立体模様を有するダブルラッシェル編物が好ましく用いられる。なお、必要に応じて、乳房カップ部１１の表面側には、意匠上の美観の観点などから、外観の良好な適宜の布やレース地などから構成された表カップが更に取りつけられていてもよい。
【００５０】
かくして得られたブラジャーは、乳房カップ部並びに土台布において、発汗時のベタツキ感が低減され、サラッとした感触が保て、通気性、吸水性がよく、蒸れも改良され、また、暑い環境から涼しい環境へ移動した場合でも、生地表面に付着した汗によって皮膚が冷やされ冷たく感じ不快感が生ずるのを軽減でき、清涼感を保持できる。更に乳房の形並びに胸回りの贅肉などを補正造形し、形を美しく保つに必要な造形性、補正機能も発揮出来、しかも、乳房の表面や土台布があてがわれた胸回りに畝状凹凸立体模様の跡がつきにくいブラジャーが提供できる。また、ダブルラッシェル編物からなるので、不織布に比べて、耐洗濯性が良好で、洗濯によるへたりが少なく、長期間の造形性、剛軟性（はり）を維持することができ、耐久性に優れている乳房カップ部並びに土台布を有するブラジャーが提供できる。
【００５１】
次に図８に参考発明のクロッチ部を有する肌に接して着用される衣料であるショーツの斜視図を示した。
【００５２】
図８において、１８はショーツ本体であり、１９がクロッチ部である。そして、図９に図８に示したショーツのクロッチ部分近傍をショーツ内側から見た平面図を示した。
【００５３】
このショーツのクロッチ部１９が弾性繊維を含有しない畝状凹凸立体模様を片面に有するダブルラッシェル編物からなり、クロッチ部１９の肌に接する側に畝状凹凸面が現れるように前記ダブルラッシェル編物が使用されている。ここで、クロッチ部１９に畝状凹凸立体模様の畝の向きを示す線１５を記載してあるが、これも、理解を容易にするために畝の向きを示す線１５を記載したものである。そして、この畝の向きを示す線１５は、畝の向きを示しているだけであって、前述したと同様に巨視的な全体的な観点から見た畝の長手方向を示しているものであり、図１に示されたようなダブルラッシェル編物の畝状凹凸立体模様がほぼストレ−トなストライプ状であることを意味しているものではない。したがって、ここでは図１〜図３などに示されたいずれの畝状凹凸立体模様を片面に有するダブルラッシェル編物を用いてもよい。そしてクロッチ部に用いる場合には、ダブルラッシェル編物の畝状凹凸立体模様が、陰部に転写されることはそれほど気にならない部分であるので、図１に示したような畝状凹凸立体模様を有するダブルラッシェル編物も、好ましく用いることができる。しかし、クロッチ部が長めのもので、下腹部や臀部に畝状凹凸立体模様が転写されることを特に避けたい場合には、図２または図３に示したような畝状凹凸立体模様を有するダブルラッシェル編物が好ましく、特に図２に示したようなジグザグ状の畝状凹凸立体模様を有するダブルラッシェル編物が好ましく用いられる。
【００５４】
なお、必要に応じて、クロッチ部１９の表面側には、意匠上の美観の観点などから、外観の良好な適宜の布地などで構成された表カバーが更に取りつけられていてもよい。
【００５５】
かくして得られたショーツは、最もジメジメしやすいクロッチ部において、発汗時のベタツキ感が低減され、サラッとした感触が保て、通気性、吸水性がよく、蒸れも改良され、また、暑い環境から涼しい環境へ移動した場合でも、生地表面に付着した汗によって皮膚が冷やされ冷たく感じ不快感が生ずるのを軽減でき、清涼感を保ち、気持ちのよい着用感を有するショーツが提供できる。また、ダブルラッシェル編物からなるので、不織布と異なり、耐洗濯性が良好で、洗濯によるへたりが少なく、長期間の造形性、剛軟性（はり）を維持することができ、耐久性に優れているクロッチ部を有するショーツが提供できる。
【００５６】
尚、上述した衣料は、少数の具体例を示したが、これらにに限られる物ではなく、前述のような畝状凹凸立体模様を少なくとも片面に有するダブルラッシェル編物を乳房カップ部などに適用する場合には、ブラジャーのみならず、ボディスーツ、レオタードその他の各種の乳房カップ部を有する肌に接して着用される衣料に適用可能であり、また、クロッチ部に適用する場合には、ショーツのみならず、ガードル、ボディスーツ、レオタードその他の各種のクロッチ部を有する肌に接して着用される衣料に適用可能であることは、容易に理解されるところである。
【００５７】
ところで、前記所定部分に適用される弾性繊維を含有しない畝状凹凸立体模様を片面に有するダブルラッシェル編物の性能についての具体的な試験結果を以下に説明するため、次の畝状凹凸立体模様を片面に有するダブルラッシェル編物を作成し、前記衣料に適用すると共に、その物性を測定した。
【００５８】
通常の市販のポリエステルマルチフィラメント（５０ｄ−２４ｆ）、ポリエステルマルチフィラメント（１００ｄ−１２ｆ）、ポリエステルマルチフィラメント（３０ｄ−６ｆ）、ポリエステルマルチフィラメント（７５ｄ−３６ｆ）並びにポリエステルマルチフィラメント（１５０ｄ−４８ｆ）を使用し、２２ゲージのダブルラッシェル編機で６枚筬（以下第１〜第６の筬と名づける）にて編み、生地の外側面（畝状凹凸面でない平坦面側）にあたる面を形成するための第１〜第２の筬の２枚の筬にはポリエステルフィラメント（５０ｄ−２４ｆ）を１本づつ２本通し、この２本で生地の外側面を形成し、第３の筬にポリエステルフィラメント糸（１００ｄ−１２ｆ）、第４の筬にポリエステルフィラメント糸（３０ｄ−６ｆ）を通し、この２本で充填糸を構成し、第５の筬にポリエステルフィラメント糸（７５ｄ−３６ｆ）、第６の筬にポリエステルフィラメント糸（１５０ｄ−４８ｆ）を通し、肌側に接する面の畝状凹凸面を形成させるべく、各筬にそれぞれのマルチフィラメント糸を配して図２（断面は図４、図５）に示されるような裏面にジグザグ状の畝状凹凸立体模様を有するダブルラッシェル編物を作成した。
【００５９】
このダブルラッシェル編物の厚みは３ｍｍ、ＪＩＳ  Ｌ−１０９６  Ｅ法（ハンドルオメータ法）による剛軟性が１８ｇ、目付けは５０７ｇ／ｍ2、畝の存在する面の凹部表面からの凸部の高さが７４μｍ、凸部の幅が１ｍｍ、凹部の幅が１ｍｍ、畝状凹凸立体模様の凸部表面の面積が、凸部表面と凹部表面の合計面積の５１％であつた。
【００６０】
表１に乳房カップ用素材として用いられているポリエステル繊維８５重量％と綿１５重量％からなる不織布で、その片面にポリエステル繊維からなるトリコット編物が積層され、反対面に綿２５重量％とポリエステル繊維７５重量％の綿混ポリエステルトリコット編物が積層された目付け２９５ｇ／ｍ2の積層不織布（ＮＦと略称する）や、同じく乳房カップ用素材として用いられている両面にポリエステル繊維からなるトリコット編物が積層された目付け３６３ｇ／ｍ2のポリウレタンフォーム（ＰＵと略称する）と共に、上記で得られたダブルラッシェル編物（ＤＲと略称する）についての評価結果を参考として示す。
【００６１】
【表１】
素材    目付        厚さ        通気抵抗        吸水性（秒）  剛軟性
（ｇ／ｍ2）  （ｍｍ）  （Ｋｐａ・ｓ／ｍ2）  （滴下法）  （ｇ）
ＤＲ    ５０７      ３．０        ０．０３      ５０．１      １８．０
ＰＵ    ３６３      ３．０        ０．８５      ７．９        ２６．４
ＮＦ    ２９５      ４．０        ０．０４      ８５．７      ２６．６
なお、洗濯繰り返しによる剛軟性の変化を上記のダブルラッシェル編物と、不織布とで測定したところ、ダブルラッシェル編物は、５０回洗濯後でも剛軟性はほぼ１８．０ｇであり、１００回洗濯後も１７．８ｇでありほとんど低下が見られないのに対し、不織布の場合は、５０回洗濯後に１．２ｇに低下してしまい、剛軟性の低下が極めて大きい。
【００６２】
なお、上記物性の測定法はそれぞれ次の方法によった。
（厚さ）
ＪＩＳ  Ｌ−１０１８に従って測定した。：単位（ｍｍ）
（畝の凸部の高さ）、（畝の凸部の幅）及び（畝の凹部の幅）
カトーテック株式会社製  表面試験機“ＫＥＳ−ＦＢ４  表面試験機”を用い、表面粗さ検出用接触子を取り付けて、試料の畝の長手方向に対しそれと直角方向に畝を横切るように表面粗さ検出用接触子を走査し、表面粗さを測定した。得られた表面特性のチャートのうち表面粗さのチャートからチャートに記録されたすべての畝の凸部の高さ、畝の凸部の幅、凹部の幅を読み取り、それぞれその平均値を持って、畝の凸部の高さ、畝の凸部の幅、凹部の幅とした。
（畝の凸部表面の面積）
試料のダブルラッシェル編物の肌に接する側に用いられる畝状凹凸模様が現れている面の画像をエプソン株式会社製  スキャナー“ＧＴ−６０００”を用いて読み込み白黒写真画像とし、その白黒を反転させた後、二値化処理し、画像の黒く表示された部分の面積を計算し、畝の凸部表面の面積とした。
（剛軟性）
ＪＩＳ  Ｌ−１０９６  剛軟性  Ｅ法（ハンドルオメータ法）：単位（ｇ）
（吸水性）
ＪＩＳ  Ｌ−１０９６  吸水性  Ａ法（滴下法）：単位（秒）
（通気抵抗）
カトーテック株式会社製「ＫＥＳ−Ｆ８−ＡＰ１  通気性試験機」によるＫＥＳ法による。尚、ピストンからの通気量Ｖは４ｃｃ／ｃｍ2・ｓｅｃで測定。
【００６３】
単位はＫｐａ・ｓｅｃ／ｃｍ2、なお、表１ではｓｅｃをｓと表示している。
【００６４】
【発明の効果】
本発明の乳房カップ部及び／またはクロッチ部を有する肌に接して着用される衣料は、発汗時においても、乳房カップ部及び／またはクロッチ部におけるベタツキ感が低減され、サラッとした清涼感を保持し、通気性、吸水性がよく、蒸れも改良され、また、暑い環境から涼しい環境へ移動した場合でも、生地表面に付着した汗によって皮膚が冷やされ冷たく感じる不快感が生ずるのを軽減できる。また、耐洗濯性が良好で、繰り返し洗濯してもこれらの性質を長期間維持できる。しかも、乳房カップ部などに適用する場合に、必要な造形性も発揮し得る性能を有する直接肌に接して着用される衣料であって乳房カップ部及び／またはクロッチ部を有する衣料を提供することができる。従って、ブラジャー、ボディスーツ、レオタード、ショーツ、ガードルなどの乳房カップ部及び／またはクロッチ部を有し肌に接して着用される衣料に好適に適用できる。
【図面の簡単な説明】
【図１】  参考発明で用いる畝状凹凸立体模様を片面に有するダブルラッシェル編物の一例の畝状凹凸立体模様を有する側から見た平面図。
【図２】  本発明で用いる畝状凹凸立体模様を片面に有するダブルラッシェル編物の別の一例の畝状凹凸立体模様を有する側から見た平面図。
【図３】  本発明で用いる畝状凹凸立体模様を片面に有するダブルラッシェル編物の更に別の一例の畝状凹凸立体模様を有する側から見た平面図。
【図４】  図２に示した本発明で用いる畝状凹凸立体模様を片面に有するダブルラッシェル編物の図２のＡ−Ａ´方向の断面模式図。
【図５】  図２に示した本発明で用いる畝状凹凸立体模様を片面に有するダブルラッシェル編物の図２のＢ−Ｂ´方向の断面模式図。
【図６】  本発明の乳房カップ部を有する肌に接して着用される衣料である３／４カップのブラジャーの斜視図。
【図７】  本発明の乳房カップ部を有する肌に接して着用される衣料である１／２カップのブラジャーの斜視図。
【図８】  参考発明のクロッチ部を有する肌に接して着用される衣料であるショーツの斜視図。
【図９】  図８に示したショーツのクロッチ部分近傍をショーツ内側から見た平面図。
【符号の説明】
１        畝状の凸部
２        畝状の凹部
３        ダブルラッシェル編物の裏面
４        ダブルラッシェル編物の表面
５        つなぎ糸（充填糸）
６        つなぎ糸（充填糸）
１１      乳房カップ部
１１ａ    上カップ部
１１ｂ    下カップ部
１２      土台布
１３      バック布
１４      肩紐
１５      畝状凹凸立体模様の畝の向きを示す線
１８      ショーツ本体
１９      クロッチ部
【図１】
0004338265.tif 000002
【図２】
0004338265.tif 000003
【図３】
0004338265.tif 000004
【図４】
0004338265.tif 000005
【図５】
0004338265.tif 000006
【図６】
0004338265.tif 000007
【図７】
0004338265.tif 000008
【図８】
0004338265.tif 000009
【図９】
0004338265.tif 000010